(57)【特許請求の範囲】
【請求項１】
前向き及び後向きに着座することができる運転室の左右の前部ピラーと、左右の後部ピラーが、該運転室の前端部と後端部よりも前後方向の中央寄りに位置していると共に、前向きに着座する際に運転席から前方の上部視界を確保するため、及び後向きに着座する際に運転席から後方の上部視界を確保するために運転室の天井部の前部寄り部分や後部寄り部分に天窓を形成している形式の作業車両や建設機械の運転室における左右の同じ側の前部と後部のピラーの上端部同士を、運転室の天井部の左右両側位置に沿って前後方向に延びる左右のサイドメンバーを介してそれぞれ連結し、更に、平面形状をＸ字状としてなるＸ字梁を、上記運転席から前方及び後方の上部視界を確保するため天井部の前部寄り部分の天窓及び後部寄り部分の天窓と干渉しない位置に配置すると共に、上記左右の各前部ピラー及び上記左右の各後部ピラーの対角に位置するもの同士の慣性主軸を結ぶように配置して、該Ｘ字梁の４つの端部を、上記左右の各前部ピラーの上端部及び上記左右の各後部ピラーの上端部に連結した構成を有することを特徴とする作業車両や建設機械の運転室の補強構造。
【発明の詳細な説明】
【技術分野】
【０００１】
本発明は、作業車両や建設機械の運転室の補強構造に関するものである。
【背景技術】
【０００２】
作業車両や建設機械の運転室（キャブ）は、転倒時保護構造（Roll-Over Protective Structures：ＲＯＰＳ）を備えることが求められる。
【０００３】
そのため、図２に示す如く、平面形状が略矩形としてある運転室１では、運転室１の前端部の左右両側位置に、上下方向に延びる左右一対の前部ピラー２Ｌ，２Ｒを設け、運転室１の後端部の左右両側位置に、上下方向に延びる左右一対の後部ピラー３Ｌ，３Ｒを設け、左右の同じ側の前部と後部のピラー２Ｌと３Ｌ，２Ｒと３Ｒの上端部同士を、運転室１の天井部の左右両側位置に沿って前後方向に延びる左サイドメンバー４Ｌ、及び、右サイドメンバー４Ｒを介してそれぞれ連結し、更に、上記左右の前部ピラー２Ｌと２Ｒの上端部同士と、上記左右の後部ピラー３Ｌと３Ｒの上端部同士を、運転室１の天井部の前端縁部と後端縁部に沿って左右方向に延びる前部と後部の梁部材５と６でそれぞれ連結してなる補強構造が一般的に採用されている（たとえば、特許文献１参照）。
【０００４】
ところで、作業車両や建設機械では、視界の確保等のために、図３に示す如く、運転室１Ａの前面側に設けるフロントガラス７として、該運転室１Ａの前後方向に直交する方向に配置した前面ガラス（ガラス本体）８と、該前面ガラス８の右端辺及び左端辺の位置からそれぞれ斜め後方に向けて延びる斜め方向のガラス（ガラス斜部）９とからなるフロントガラス７を採用する場合がある。
【０００５】
この種のフロントガラス７を採用した運転室１Ａは、該フロントガラス７を左右の前部ピラー２Ｌ，２Ｒよりも前側に備えることにより、該運転室１Ａの平面形状が、上記左右の前部ピラー２Ｌ，２Ｒよりも前側へ台形状に突出した部分を有する略六角形状となる。図３における３Ｌ，３Ｒは後部ピラーであり、該後部ピラー３Ｌ，３Ｒを、運転室１Ａの後端部よりも該運転室１Ａの前後方向の中央寄り位置に設けた構成としてある。（たとえば、特許文献２参照）。
【０００６】
ところで、高性能林業機械の一種であるフォワーダは、運転室の後部側に作業機としてのグラップルを備えた構成としてあり、該グラップルを操作することにより、車両後部に設けた荷台（デッキ）への木材の積み降ろしを行うようにしてある。
【０００７】
上記フォワーダのように、運転室の後部側に作業機を備えた作業車両や、建設機械では、運転室内に、前後方向に旋回可能なシート、又は、後向きのシートを設けて、作業機による作業を行うときに、オペレータが運転室内で後向きに着座できるようにした形式とすることがある。
【０００８】
又、上記フォワーダは、森林内を走行することがあり、又、上記グラップルを使用した作業も森林内で行う場合があるため、運転室の前方及び後方の上方視界が重要になる。
【０００９】
よって、上記フォワーダのように、運転室の前方及び後方の上部視界が求められる作業車両や建設機械では、運転室の天井部の前寄りと後寄りの部分に天窓を最大限、大きく設けることが望まれる。
【先行技術文献】
【特許文献】
【００１０】
【特許文献１】特開２０１０−４３４１２号公報
【特許文献２】特開２００８−５６１３９号公報
【発明の概要】
【発明が解決しようとする課題】
【００１１】
ところが、上記図３に示した平面形状が矩形よりも多角の形状としてある運転室１Ａのように、左右の前部ピラー２Ｌ，２Ｒと、左右の後部ピラー３Ｌ，３Ｒが、運転室１Ａの前端部や後端部よりも前後方向の中央寄りに位置している形式では、図２に示されたものと同様に、上記左右の前部ピラー２Ｌと２Ｒの上端部同士、及び、左右の後部ピラー３Ｌと３Ｒの上端部同士を、左右方向に延びる前部と後部の梁部材５と６を介して効率よく連結する構成を採用しようとすると、図４に示す如く、左右方向に延びて上記左右の前部ピラー２Ｌと２Ｒの上端部同士を連結する前部梁部材５と、左右方向に延びて上記左右の後部ピラー３Ｌと３Ｒの上端部同士を連結する後部梁部材６が、運転室１Ａの天井部の前端部（前端縁）や後端部（後端縁）よりも前後方向の中央寄りの部分に配置されるようになる。なお、図４では図示する便宜上、上記梁部材５，６の上側に取り付けて運転室１Ａの天井を構成するための天井パネルの記載は省略してある（後述する図１も同様）。
【００１２】
そのため、上記運転室１Ａの前方の上方視界や後方の上方視界を確保するために、図４に二点鎖線で示すように、該運転室１Ａの天井部の前部寄り部分や、後部寄り部分に天窓１０，１１を設けようとすると、上記前部梁部材５や後部梁部材６との干渉が生じてしまう。
【００１３】
上記のような前部と後部の各梁部材５，６と、運転室１Ａの天井部の前部寄り部分や、後部寄り部分に設ける天窓１０，１１との干渉を防止するための手段としては、上記前部梁部材５及び後部梁部材６を、図４に実線で示した上記前部ピラー２Ｌ，２Ｒや後部ピラー３Ｌ，３Ｒの上端部と対応する位置から、図４に一点鎖線で示すように、図４に二点鎖線で示した運転室１Ａの天井部の前部寄り部分や後部寄り部分に設ける天窓１０，１１と干渉が生じなくなる位置まで運転室１Ａの前後方向中央寄りにオフセットさせて配置し、この状態で、上記前部ピラー２Ｌ，２Ｒや後部ピラー３Ｌ，３Ｒに対しオフセットさせた上記前部梁部材５と後部梁部材６の両端部を、それぞれ上記運転室１Ａの天井部の左右両側位置でそれぞれ前部と後部のピラー２Ｌと３Ｌ，２Ｒと３Ｒの上端部同士を連結している左右の各サイドメンバー４Ｌ，４Ｒの対応する個所に連結するようにすることが考えられる。
【００１４】
しかし、上記のように前部と後部の梁部材５，６を、前部ピラー２Ｌ，２Ｒや後部ピラー３Ｌ，３Ｒの上端部に対してオフセット配置させた場合は、横荷重を負荷した場合に、ねじれが発生し、変形が大きくなり易いため、転倒時保護構造のような目標品質を満足させることが難しく、又、左右の良好な荷重分散を図ることが難しいというのが実状である。
【００１５】
したがって、変形を防止して目標品質を満足させるためには、上記前部ピラー２Ｌ，２Ｒや後部ピラー３Ｌ，３Ｒと、左右の各サイドメンバー４Ｌ，４Ｒとの連結部分、及び、上記左右の各サイドメンバー４Ｌ，４Ｒと、前部と後部の各梁部材５，６との連結部分に、図示しないガセットを継ぎ手として追加して補強する必要が生じるため、コストアップに繋がると共に、構造が複雑化してしまう。
【００１６】
そこで、本発明は、作業車両や建設機械における平面形状が矩形よりも多角の形状としてあって、左右の前部ピラーや、左右の後部ピラーが、運転室の前端部や後端部よりも前後方向の中央寄りに設けてある形式の運転室にて、上記左右の前部ピラーと左右の後部ピラーの上端部同士を梁部材で連結して良好な荷重分散を図ることができるようにすると共に、梁部材の干渉を防止した状態で、該運転室の天井部における前部寄り部分と後部寄り部分に天窓を設けることができるようにするための運転室の補強構造を提供しようとするものである。
【課題を解決するための手段】
【００１７】
本発明は、上記課題を解決するために、請求項１に対応して、前向き及び後向きに着座することができる運転室の左右の前部ピラーと、左右の後部ピラーが、該運転室の前端部と後端部よりも前後方向の中央寄りに位置していると共に、前向きに着座する際に運転席から前方の上部視界を確保するため、及び後向きに着座する際に運転席から後方の上部視界を確保するために運転室の天井部の前部寄り部分や後部寄り部分に天窓を形成している形式の作業車両や建設機械の運転室における左右の同じ側の前部と後部のピラーの上端部同士を、運転室の天井部の左右両側位置に沿って前後方向に延びる左右のサイドメンバーを介してそれぞれ連結し、更に、平面形状をＸ字状としてなるＸ字梁を、上記運転席から前方及び後方の上部視界を確保するため天井部の前部寄り部分の天窓及び後部寄り部分の天窓と干渉しない位置に配置すると共に、上記左右の各前部ピラー及び上記左右の各後部ピラーの対角に位置するもの同士の慣性主軸を結ぶように配置して、該Ｘ字梁の４つの端部を、上記左右の各前部ピラーの上端部及び上記左右の各後部ピラーの上端部に連結した構成とする。
【発明の効果】
【００１９】
本発明の運転室の補強構造によれば、以下のような優れた効果を発揮する。
（１）前向き及び後向きに着座することができる運転室の左右の前部ピラーと、左右の後部ピラーが、該運転室の前端部と後端部よりも前後方向の中央寄りに位置していると共に、前向きに着座する際に運転席から前方の上部視界を確保するため、及び後向きに着座する際に運転席から後方の上部視界を確保するために運転室の天井部の前部寄り部分や後部寄り部分に天窓を形成している形式の作業車両や建設機械の運転室における左右の同じ側の前部と後部のピラーの上端部同士を、運転室の天井部の左右両側位置に沿って前後方向に延びる左右のサイドメンバーを介してそれぞれ連結し、更に、平面形状をＸ字状としてなるＸ字梁を、上記運転席から前方及び後方の上部視界を確保するため天井部の前部寄り部分の天窓及び後部寄り部分の天窓と干渉しない位置に配置すると共に、上記左右の各前部ピラー及び上記左右の各後部ピラーの対角に位置するもの同士の慣性主軸を結ぶように配置して、該Ｘ字梁の４つの端部を、上記左右の各前部ピラーの上端部及び上記左右の各後部ピラーの上端部に連結した構成としてあるので、前向き及び後向きに着座することができる作業車両や建設機械の運転室の前端部と後端部よりも前後方向の中央寄りに位置している左右の前部ピラーと、左右の後部ピラーの上端部同士を、Ｘ字梁により一体に連結することができる。このため、左右いずれか一方の前部と後部のピラーに負荷される横荷重を、上記Ｘ字梁のみを介して左右いずれか他方の前部と後部のピラーへ直接伝えることができる。よって、ねじれによる変形を抑制することができると共に、左右の良好な荷重分散を図ることができる。
（２）前部と後部の各ピラー、及び、左右のサイドメンバーの構造は、従来のものと特に変更を加える必要はないため、本発明の作業車両や建設機械の運転室の補強構造を備えた運転室では、転倒時側方荷重、後方荷重、上方荷重に対して効率的な荷重分散を図ることが可能になる。したがって、転倒時保護構造のような目標品質を満足させるのに有利な構成とすることができる。更には、上記運転室では、平面形状をＸ字状としてある上記Ｘ字梁の交差部分が、天井部の中央付近に配置されるようになるため、上記運転室について、天井部の中央付近の強度を高めることができて、落下物保護構造の目標品質を満足させるのに有利な構成とする効果も期待できる。
（３）上記Ｘ字梁の各端部は、上記各前部ピラーと各後部ピラーの上端部に連結することができるため、継手部の強度部材となるガセットを効率的に配置することができる。又、その数を抑制することができて、コストの低減化を図ることができる。
（４）上記Ｘ字梁は、その前側と後側に、隣接する部材同士の間に挟まれた空間を備えているため、この空間を利用することで、運転室の天井部における前部寄り部分と後部寄り部分の限られたスペースに、上記Ｘ字梁と干渉することなく大きな天窓を設けることができる。
（５）よって、運転室の前方及び後方の上部視界が求められる作業車両や建設機械の運転室の天井部の前寄りの部分と後寄りの部分に天窓を設ける場合に適したものとすることができる。
（６）更に、Ｘ字梁を、左右の各前部ピラー及び左右の各後部ピラーの対角に位置するもの同士の慣性主軸を結ぶように配置するようにした構成としてあるので、左右いずれか一方の前部と後部のピラーと、左右いずれか他方の前部と後部のピラーとの間での上記Ｘ字梁を介した荷重の伝達を、より良好に且つより確実に行わせることができる。
【図面の簡単な説明】
【００２０】
【図１】本発明の運転室の補強構造の実施の一形態を示す概略平面図である。
【図２】従来提案されている平面形状が略矩形の運転室における補強構造を示す概略斜視図である。
【図３】従来提案されている平面形状を矩形よりも多角な形状としてある形式の運転室の例を示す概略斜視図である。
【図４】平面形状を矩形よりも多角な形状としてある形式の運転室に補強構造を備える場合の前部と後部の梁部材の配置を示す概略平面図である。
【発明を実施するための形態】
【００２１】
以下、本発明を実施するための形態を図面を参照して説明する。
【００２２】
図１は本発明の運転室の補強構造の実施の一形態として、矩形よりも多角の平面形状としての略八角形状の平面形状を有する運転室１Ｂに適用する場合の例を示すもので、以下のようにしてある。
【００２３】
すなわち、上記運転室１Ｂは、その平面形状を、左右の前部ピラー２Ｌ，２Ｒよりも前側へ台形状に突出した部分と、左右の後部ピラー３Ｌ，３Ｒよりも後側へ台形状に突出した部分を備えた略八角形状としてある。
【００２４】
左右で対応する側の前部と後部のピラー２Ｌと３Ｌ，２Ｒと３Ｒの上端部同士は、運転室１の天井部の左右両側位置に沿って前後方向に延びる左サイドメンバー４Ｌ、及び、右サイドメンバー４Ｒを介してそれぞれ連結する。
【００２５】
更に、平面形状をＸ字状としたＸ字梁１２を形成して、該Ｘ字梁１２の４つの端部を、上記左右の各前部ピラー２Ｌ，２Ｒの上端部及び各後部ピラー３Ｌ，３Ｒの上端部に連結する。
【００２６】
詳述すると、上記Ｘ字梁１２は、左右いずれか一方の前部ピラー２Ｌ又は２Ｒと、左右いずれか他方の後部ピラー３Ｒ又は３Ｌを繋ぐ長さ寸法を備えた長尺の梁部材１２ａの長手方向中間部に、該梁部材１２ａの長さ寸法の約半分の長さ寸法としてある短い梁部材１２ｂ，１２ｃを、同一平面内で一体に連結した構成としてある。
【００２７】
更に、上記Ｘ字梁１２は、上記左右の各前部ピラー２Ｌ，２Ｒ及び各後部ピラー３Ｌ，３Ｒの対角に位置するもの同士の慣性主軸を結ぶように配置して、該各ピラー２Ｌ，２Ｒ，３Ｌ，３Ｒの上端部に連結してあるものとする。
【００２８】
１３は上記Ｘ字梁１２の上側に取り付ける図示しない天井パネルの前端部分を取り付けて支持させるために左右の前部ピラー２Ｌ，２Ｒよりも前側に取り付けた平面視台形状の補助メンバー、１４は上記図示しない天井パネルの後端部分を取り付けて支持させるために左右の後部ピラー３Ｌ，３Ｒよりも後側に取り付けた平面視略台形状の補助メンバーである。
【００２９】
その他、図４に示したものと同一のものには同一符号が付してある。
【００３０】
以上の構成としてある本発明の運転室の補強構造によれば、上記平面形状を略八角形状としてある運転室１Ｂにおける左右の各前部ピラー２Ｌ，２Ｒと各後部ピラー３Ｌ，３Ｒの上端部同士を、上記Ｘ字梁１２により一体に連結することができ、左右いずれか一方より横荷重を負荷した場合に、左右いずれか一方の前部と後部のピラー２Ｌと３Ｌ又は２Ｒと３Ｒに作用する荷重を、上記Ｘ字梁１２のみを介して左右いずれか他方の前部と後部のピラー２Ｒと３Ｒ又は２Ｌと３Ｌへ直接伝えることができる。
【００３１】
よって、ねじれによる変形を抑制することができると共に、左右の良好な荷重分散を図ることができる。
【００３２】
しかも、前部と後部の各ピラー２Ｌ，２Ｒと３Ｌ，３Ｒ、及び、左右のサイドメンバー４Ｌ，４Ｒの構造には特に変更を加える必要はないため、本発明の運転室の補強構造を備えた運転室１Ｂによれば、転倒時側方荷重、後方荷重、上方荷重に対して効率的な荷重分散を図ることが可能になる。したがって、転倒時保護構造のような目標品質を満足させるのに有利な構成とすることができる。更に、上記運転室１Ｂでは、平面形状をＸ字状としてある上記Ｘ字梁１２における交差部分が、該運転室１Ｂの天井部の中央付近に配置されるようになることから、上記運転室１Ｂについて、天井部の中央付近の強度を高めることができ、よって、落下物保護構造（Falling-Object Protective Structures：ＦＯＰＳ）の目標品質を満足させるのに有利な構成とする効果も期待できる。
【００３３】
又、上記Ｘ字梁１２の各端部は、上記前部ピラー２Ｌ，２Ｒと、後部ピラー３Ｌ，３Ｒの上端部に連結することができるため、継手部の強度部材となるガセットを効率的に配置することができるため、その数を抑制することができて、コストの低減化を図ることができる。
【００３４】
しかも、上記Ｘ字梁１２は、その前側と後側に、隣接する梁部材１２ａと１２ｂ又は１２ａと１２ｃ同士の間に挟まれた空間を備えているため、図１に示すように、該各空間を利用することで、運転室１Ｂの天井部における前部寄り部分と後部寄り部分の限られたスペースに、上記Ｘ字梁１２と干渉することなく大きな天窓１０，１１を設けることができる。
【００３５】
よって、上記運転室の前方及び後方の上部視界が求められる作業車両や建設機械の運転室の天井部の前寄りの部分と後寄りの部分に天窓を設ける場合に適したものとすることができる。
【００３６】
なお、本発明は、上記実施の形態にのみ限定されるものではなく、前部ピラー２Ｌ，２Ｒと、後部ピラー３Ｌ，３Ｒが、運転室１Ｂの前端部や後端部よりも前後方向の中央寄りに位置している形式の作業車両や建設機械の運転室であれば、図１に示した如き平面形状が八角形状以外の運転室に適用してもよい。
【００３７】
更には、前部ピラー２Ｌ，２Ｒと、後部ピラー３Ｌ，３Ｒの一方のみが、運転室１Ｂの前端部や後端部よりも前後方向の中央寄りに位置している形式の作業車両や建設機械の運転室に適用してもよい。
【００３８】
天窓１０，１１は、上記Ｘ字梁１２と干渉が生じないようにしてあれば、図示した以外のいかなる形状を採用してもよい。
【００３９】
上記運転室１Ｂの天井部における前部寄り部分と後部寄り部分のいずれか一方にのみ天窓１０又は１１を設ける場合に適用してもよい。
【００４０】
フォワーダ以外のいかなる種類の作業車両、建設機械の運転室に適用してもよい。
【００４１】
その他本発明の要旨を逸脱しない範囲内で種々変更を加え得ることは勿論である。
【符号の説明】
【００４２】
１Ｂ  運転室
２Ｌ，２Ｒ  前部ピラー
３Ｌ，３Ｒ  後部ピラー
４Ｌ  左サイドメンバー
４Ｒ  右サイドメンバー
１２  Ｘ字梁
【図１】
0005656465.tif 000002
【図２】
0005656465.tif 000003
【図３】
0005656465.tif 000004
【図４】
0005656465.tif 000005